(57)【特許請求の範囲】
【請求項１】
装身具本体の一端側に穿設される係合孔と、
装身具本体の他端側に回転可能に設けられて装身具本体の一端側が挿通するフレームと、フレームの裏側に突設されて前記係合孔に係脱可能に挿入係合する突棒と、
装身具本体の他端側に設けられて突棒を係脱可能に係合する突棒係合手段と、
を備え、
フレームの裏側と装身具本体の他端側の表側との間に装身具本体の一端側を挿通して突棒を係合孔に挿入して係合し、
かつ装身具本体の一端側の裏側に突出した突棒を、突棒係合手段によって装身具本体の他端側に係合し、装身具本体の一端側と装身具本体の他端側とを締結する装身具の中留であって、
突棒係合手段は、突棒と係合するためのプッシュボタン機構と、このプッシュボタン機構が配置されるハウジングと、を含み、
このハウジングが、装身具本体の他端側に形成された薄板部を屈曲させて形成される装身具の中留。
【請求項２】
装身具本体の一端側に穿設される係合孔と、
装身具本体の他端側に回転可能に設けられて装身具本体の一端側が挿通するフレームと、装身具本体の他端側に突設されて係合孔に係脱可能に挿入係合する突棒と、
フレームに設けられて突棒を係脱可能に係合する突棒係合手段と、
を備え、
フレームの裏側と装身具本体の他端側の表側との間に装身具本体の一端側を挿通して突棒を係合孔に挿入して係合し、
かつ装身具本体の一端側の表側に突出した突棒を、突棒係合手段によってフレームと係合し、装身具本体の一端側と装身具本体の他端側とを締結する装身具の中留であって、
突棒係合手段は、突棒と係合するためのプッシュボタン機構と、このプッシュボタン機構が配置されるハウジングと、を含み、
このプッシュボタン機構が、外方から押圧可能なプッシュボタンをフレームに備える装身具の中留。
【請求項３】
請求項１に記載された装身具の中留であって、
ハウジングが、薄板部を中空な閉塞断面に屈曲して形成されて、
このハウジングの内部がプッシュボタン機構を収納するプッシュボタン装入部に構成される装身具の中留。
【請求項４】
請求項１、あるいは３に記載された装身具の中留であって、
薄板部が、側面Ｌ字形状、あるいは側面コ字形状に屈曲される装身具の中留。
【請求項５】
請求項２に記載された装身具の中留であって、
装身具本体の他端部に連結されたプレート部材に突棒が突設される装身具の中留。
【請求項６】
請求項５に記載された装身具の中留であって、
プレート部材が、フレームと共に、ばね棒により装身具本体の他端部に回転可能に取り付けられる装身具の中留。
【請求項７】
請求項２に記載された装身具の中留であって、
ハウジングが、フレームとカバー部材とで構成される装身具の中留。
【請求項８】
請求項１から７のいずれかに記載された中留を備える装身具。
【発明の詳細な説明】
【０００１】
【発明の属する技術分野】
本発明は、手首などに巻回されて装着される腕時計、ブレスレッド等の装身具の中留構造に関する。
【０００２】
【従来の技術】
従来の、この種の装身具の中留構造としての腕時計の中留構造は、実開昭５５−３９６１号公報、実開昭５９−８６１２号公報及び実開昭６２−１４８１２１号公報にそれぞれ開示されている。
【０００３】
実開昭５５−３９６１号公報に開示された技術は、一方のバンドの端部に取り付けられた平面視略Ｕ字型の尾錠枠に、内方に若干下向きに傾斜する短小な固定突軸を設け、他方のバンドを尾錠枠に挿通した際に、この他方のバンドに設けられた係合孔に固定突軸を係脱可能に係合するようにしたものである。
【０００４】
また、実開昭５９−８６１２号公報に開示された技術は、一方のバンドの端部に取り付けられた平面視略Ｕ字型の尾錠枠の裏側に突棒とは別の突起を設け、他方のバンドを尾錠枠に挿通した際に、この他方のバンドに設けられた係合孔に突起を係脱可能に係合するようにしたものである。
【０００５】
また、実開昭６２−１４８１２１号公報に開示された技術は、一方のバンドの端部に取り付けられた箱体に蓋体を回動可能に取り付け、この蓋体に柱状ピンを設け、他方のバンドを箱体に挿通した際に、蓋体を回動して、他方のバンドに設けられた係合孔に柱状ピンを係脱可能に係合するようにしたものである。
【０００６】
【発明が解決しようとする課題】
しかしながら、上記した従来の装身具の中留構造にあっては、一方のバンドと他方のバンドとを連結した状態で、尾錠枠（又は蓋体）の回転を抑止する手段がないために、意図しない外力が負荷されると、尾錠枠（又は蓋体）が不用意に回転してしまうことがあった。すると、固定突軸、突起（又は柱状ピン）が係合孔より抜け、一方のバンドと他方のバンドとが分離してしまい、装身具である腕時計が不意に脱落してしまうという問題点があった。
【０００７】
本発明は上記の問題点に着目して成されたものであり、その目的とするところは、装身具本体の一端側と装身具本体の他端側とを確実に締結することができ、また、装身具本体の一端側と装身具本体の他端側とを容易に分離することもできる装身具の中留構造を提供することにある。
【０００８】
【課題を解決するための手段】
上記の目的を達成するために、請求項１の発明に係わる装身具の中留は、
「装身具本体の一端側に穿設される係合孔と、
装身具本体の他端側に回転可能に設けられて装身具本体の一端側が挿通するフレームと、フレームの裏側に突設されて前記係合孔に係脱可能に挿入係合する突棒と、
装身具本体の他端側に設けられて突棒を係脱可能に係合する突棒係合手段と、
を備え、
フレームの裏側と装身具本体の他端側の表側との間に装身具本体の一端側を挿通して突棒を係合孔に挿入して係合し、
かつ装身具本体の一端側の裏側に突出した突棒を、突棒係合手段によって装身具本体の他端側に係合し、装身具本体の一端側と装身具本体の他端側とを締結する装身具の中留であって、
突棒係合手段は、突棒と係合するためのプッシュボタン機構と、このプッシュボタン機構が配置されるハウジングと、を含み、
このハウジングが、装身具本体の他端側に形成された薄板部を屈曲させて形成される」ことを特徴とする。
【０００９】
かかる構成により、装身具本体の一端側をして、フレームの裏側をくぐらせ、装身具本体の他端側の表側とフレームの裏側との間に挿通し、フレームを装身具本体の他端側に接近させ、フレームの裏側に突設された突棒を、装身具本体の一端側の係合孔に表側から挿入し、この突棒を装身具本体の一端側の裏側に突出させ、次いで、フレームを装身具本体の他端側の表側に向けて回転させて、前記突棒と装身具本体の他端側とを突棒係合手段によって係合させる。
【００１０】
よって、装身具本体の他端側の表側とフレームの裏側との間に、装身具本体の一端側が係止され、装身具本体の一端側と装身具本体の他端側とを締結される。また、装身具本体の一端側と装身具本体の他端側とを分離するには、突棒と装身具本体の他端側との係合を解除し、フレームを表側に向けて回転させ、係合孔より突棒を抜く。そして、装身具本体の他端側の表側とフレームの裏側との間より、装身具本体の一端側を抜き出す。
【００１１】
また、前記突棒を、装身具本体の一端側の係合孔に表側から挿入して突棒と係合孔とを係合することにより、装身具本体の一端側は、平面方向（横方向）に沿った移動を抑止されるが、この時点では、装身具本体の一端側が裏側に向けて移動すると突棒が係合孔より抜けて、両者の係合が外れてしまう状態にある。
【００１２】
したがって、フレームを装身具本体の他端側の表側に向けて回転させて、装身具本体の一端側の裏側に突出した突棒と、装身具本体の他端側とを突棒係合手段によって係合させることにより、装身具本体の一端側は、装身具本体の他端側の表側とフレームの裏側との間に挟まれて表側あるいは裏側方向への移動を抑止される。このため、前記係合孔より突棒が抜けることがなくなる。
【００１３】
このように、装身具本体の一端側と装身具本体の他端側とを確実に締結することができ、また、装身具本体の一端側と装身具本体の他端側とを容易に分離することもできる。さらに、装身具本体の一端側の係合孔を複数設けておけば、係合孔を選択して突棒を挿入することにより、適切な装着長さを得ることができる。例えば、手首に装着する装身具ならば、適切な装着長さを得るべく、手首の太さに最も合った係合孔を選択し得る。
【００１４】
また、上記の目的を達成するために、請求項２の発明に係わる装身具の中留は、
「装身具本体の一端側に穿設される係合孔と、
装身具本体の他端側に回転可能に設けられて装身具本体の一端側が挿通するフレームと、装身具本体の他端側に突設されて係合孔に係脱可能に挿入係合する突棒と、
フレームに設けられて突棒を係脱可能に係合する突棒係合手段と、
を備え、
フレームの裏側と装身具本体の他端側の表側との間に装身具本体の一端側を挿通して突棒を係合孔に挿入して係合し、
かつ装身具本体の一端側の表側に突出した突棒を、突棒係合手段によってフレームと係合し、装身具本体の一端側と装身具本体の他端側とを締結する装身具の中留であって、
突棒係合手段は、突棒と係合するためのプッシュボタン機構と、このプッシュボタン機構が配置されるハウジングと、を含み、
このプッシュボタン機構が、外方から押圧可能なプッシュボタンをフレームに備える」を特徴とする。
また、本発明の中留は、
「ハウジングが、薄板部を中空な閉塞断面に屈曲して形成されて、
このハウジングの内部がプッシュボタン機構を収納するプッシュボタン装入部に構成される」ようにしてもよい。
また、本発明の中留は、
「薄板部が、側面Ｌ字形状、あるいは側面コ字形状に屈曲される」ようにしてもよい。
また、本発明の中留は、
「装身具本体の他端部に連結されたプレート部材に突棒が突設される」ようにしてもよい。
また、本発明の中留は、
「プレート部材が、フレームと共に、ばね棒により装身具本体の他端部に回転可能に取り付けられる」ようにしてもよい。
また、本発明の中留は、
「ハウジングが、フレームとカバー部材とで構成される」ようにしてもよい。
また、本発明は、いずれかに上記された中留を備える装身具である。
【００１５】
かかる構成により、装身具本体の一端側をして、フレームの裏側をくぐらせ、装身具本体の他端側の表側とフレームの裏側との間に挿通し、フレームを装身具本体の他端側に接近させ、前記突棒を前記係合孔に裏側から挿入し、この突棒を装身具本体の一端側の表側に突出させ、次いで、フレームを装身具本体の他端側の表側に向けて回転させて、前記突棒とフレームとを突棒係合手段によって係合させる。
【００１６】
よって、装身具本体の他端側の表側とフレームの裏側との間に、装身具本体の一端側が係止され、装身具本体の一端側と装身具本体の他端側とを締結される。また、装身具本体の一端側と装身具本体の他端側とを分離するには、突棒とフレームとの係合を解除し、フレームを表側に向けて回転させ、係合孔より突棒を抜く。そして、装身具本体の他端側の表側とフレームの裏側との間より、装身具本体の一端側を抜き出す。
【００１７】
また、前記突棒を、装身具本体の一端側の係合孔に表側から挿入して突棒と係合孔とを係合することにより、装身具本体の一端側は、平面方向（横方向）に沿った移動を抑止されるが、この時点では、装身具本体の一端側が裏側に向けて移動すると突棒が係合孔より抜けて、両者の係合が外れてしまう状態にある。
【００１８】
したがって、フレームを装身具本体の他端側の表側に向けて回転させて、前記突棒とフレームとを突棒係合手段によって係合させることにより、装身具本体の一端側は、装身具本体の他端側の表側とフレームの裏側との間に挟まれて表側あるいは裏側方向への移動を抑止される。このため、前記係合孔より突棒が抜けることがなくなる。
【００１９】
このように、装身具本体の一端側と装身具本体の他端側とを確実に締結することができ、また、装身具本体の一端側と装身具本体の他端側とを容易に分離することもできる。さらに、装身具本体の一端側の係合孔を複数設けておけば、係合孔を選択して突棒を挿入することにより、適切な装着長さを得ることができる。例えば、手首に装着する装身具ならば、適切な装着長さを得るべく、手首の太さに最も合った係合孔を選択し得る。
【００２０】
また、装身具本体の他端側に突棒を突設したので突棒が見やすい。よって、装身具本体の一端側の係合孔に突棒を挿入する操作が容易になる。
【００２１】
また、本発明に係わる装身具の中留において、前記突棒係合手段は、前記突棒の先端に備えられるフック部と、前記装身具本体の他端側または前記フレームに形成される前記突棒が挿入される挿入孔と、この挿入孔内部に位置するフック係合部とを備えており、前記突棒の先端を前記挿入孔内部に挿入して、前記フック部と前記フック係合部とを係脱可能に係合させた。
【００２２】
かかる構成により、上記した発明の作用と同様な作用を奏し得るばかりか、突棒の先端を挿入孔内部に挿入し、挿入孔内部に位置するフック係合部と係脱させることにより、中留の厚みを薄くすることができる。また、挿入孔内部に位置される突棒は、装身具本体に負荷される外力より保護され  る。すなわち、挿入孔内部に位置される突棒には、意図しない外力が負荷されることがない。よって、かかる外力に起因する突棒の折れや曲りを防ぐことができる。
【００２３】
また、本発明に係わる装身具の中留において、前記突棒係合手段は、弾性手段により装身具本体の外方に付勢され且つ装身具本  体の外方から押圧可能なプッシュボタンを備え、前記プッシュボタンにおける挿入孔内部に位置する内端部に前記フック係合部を有し、前記弾性手段の付勢により前記プッシュボタンの内端部と前記突棒の先端とが近接して、前記フック部と前記フック係合部とを係合し、前記弾性手段の付勢に抗しての前記プッシュボタンの外方から押圧により、前記プッシュボタンの内端部と前記突棒の先端が離間して、前記フック部と前記フック係合部との係合を解除する。
【００２４】
かかる構成により、上記した発明の作用と同様な作用を奏し得るばかりか、前記挿入孔に突棒を挿入すると、突棒のフック部と、挿入孔内部に位置するプッシュボタンの内端部のフック係合部とが当接して、突棒のフック部に押圧されて、プッシュボタンは、弾性手段の付勢力に抗しつつ内方に移動する。突棒  をさらに進入させて、突棒のフック部がフック係合部を通過すると、プッシュボタンは弾性手段の付勢力により元の位置に復帰し、この弾性手段の付勢力によりプッシュボタンの内端部と突棒の先端が接近してフック係合部とフック部とが係合する。
【００２５】
また、プッシュボタンを弾性手段の付勢力に抗しつつ外方より押圧すると、プッシュボタンの内端部のフック係合部が内方に移動し、プッシュボタンの内端部と突棒の先端が離間することにより、フック係合部とフック部との係合が解除される。そして、挿入孔より突棒を抜くことができる。
【００２６】
したがって、突棒係合部に備えられたプッシュボタンのフック係合部と突棒のフック部とが、容易に係脱を繰り返すことができる。また、プッシュボタンを押圧しない限り、プッシュボタンのフック係合部と突棒のフック部との係合は解除されないので、装身具本体の一端側と装身具本体の他端側が意図せずに分離して、装身具本体が不用意に脱落することを防ぐことができる。
【００２７】
また、本発明に係わる装身具の中留において、前記フック係合部が、弾性手段により前記挿入孔に向かって付勢され、前記挿入  孔の内壁より弾性的に出没可能である。
【００２８】
かかる構成により、上記した発明の作用と同様な作用を奏し得るばかりか、突棒係合部の挿入孔に突棒を挿入すると、突棒のフック部と、挿入孔内壁より突出するフック係合部とが当接する。そして、突棒のフック部に押圧されて、突棒のフック部に押圧されて、フック係合部が、弾性手段の付勢力に抗しつ  つ挿入孔内壁より没入する。突棒をさらに進入させて、突棒のフック部がフック係合部を通過すると、フック係合部は、弾性手段の付勢力により挿入孔に向かって移動し、元の位置に復帰する。すると、フック係合部は、再び挿入孔内壁より突出し、よって、突棒のフック部とフック係合部とが係合する。また、突棒係合部の挿入孔より突棒を抜くには前述と逆の過程を辿る。
【００２９】
したがって、突棒係合部のフック係合部と突棒のフック部とが、容易に係脱を繰り返すことができる。
【００３０】
また、本発明に係わる装身具の中留において、前記装身具本体の他端側と前記フレームとの間に、常に前記フレームを前記装身具本体の他端側より遠ざかる方向に向けて付勢する付勢手段を設けた。
【００３１】
かかる構成により、上記した発明の作用と同様な作用を奏し得るばかりか、突棒と突棒係合部との係合を解除すると、フレームが装身具本体の表側より遠ざかる方向に向けて跳ね上がるため、フレームより装身具本体の一端側を容易に抜き出すことができ、よって、装身具本体の一端側と装身具  本体の他端側とを容易に分離させることができる。
【００３２】
【発明の実施の形態】
以下、本発明の実施の形態を図面に基づいて説明する。
【００３３】
（実施例１）
図１乃至図５に本発明に係わる装身具の中留構造（実施例１）を示す。図１は本発明に係わる装身具の中留構造（実施例１）の斜視図、図２は同中留構造における突棒の側面図、図３は同中留構造の分解状態の斜視図、図４は同中留構造の一部省略及び一部断面した平面図、図５は同中留構造の作動説明図である。
【００３４】
本発明に係わる中留構造を備えた装身具は、腕時計のバンドに代表されるような装身具本体１と、この装身具本体１の一端側２に所定の間隔をおいて設けられた複数の係合孔５と、装身具本体１の他端側３に設けられて装身具本体１の一端側２を装身具本体１の他端側３に係脱可能に係合する中留部４とから構成してある。
【００３５】
そして、前記中留部４は、装身具本体１の他端側３の先端部に回転可能に設けられたフレーム６と、このフレーム６の裏側に突設される突棒７と、この突棒６と装身具本体１の一端側２に係脱可能に係合する突棒係合手段であるプッシュ中留機構８とを備えている。
【００３６】
すなわち、前記フレーム６は、装身具短手方向に沿う先部６Ａの両端に脚部６Ｂを連ねた平面視でコ字形状をしており、脚部６Ｂの端部にはピン孔６Ｃが設けてある。そして、フレーム６の先部６Ａの中央部に裏側には突棒７が突設してある。この突棒７は、その軸部７Ｃの先端部に傘状の頭部７Ａを有しており、この頭部７Ａの周側部がフック部７Ｂになっている。
【００３７】
前記プッシュ中留機構８は、ハウジング９と、プッシュボタン機構１０とを備えている。そして、前記ハウジング９はベース部材１１とカバー部材１２とから構成してある。
ベース部材１１は平面視で四角形状のプレートであり、そのバンド長手方向の一端部（右端部）の両側には連結部１３が設けてあり、これらの連結部１３に連結孔１４が設けてある。前記カバー部材１２の裏面には装身具短手方向にボタン挿入凹部１５が形成してある。
また、前記カバー部材１２の裏面の先側（左端部）にはベース部材嵌合部１６が形成してある。また、カバー部材１２の面部の中央部には表裏に貫通した開口１７ａと一対のピン孔１８が形成してある。
【００３８】
そして、前記カバー部材１２のベース部材嵌合部１６にベース部材１１を嵌合してカバー部材１２にベース部材１１を重ねた状態で、このベース部材１１をねじ部材１１Ｂでカバー部材１２に固着してハウジング９を構成している。そして、前記カバー部材１２のボタン挿入凹部１５がベース部材１１によって塞がれ、結果、ハウジング９には、装身具短手方向に貫通し、かつ装身具短手方向の両側が開口したプッシュボタン装入部２０が形成される。しこうして、ハウジング９はプッシュボタン装入部２０を備える中空体として完成する。
このとき、開口１７ａは、プッシュボタン装入部２０へと通じる位置に穿設される。開口１７ａは、フレーム６の突棒７がプッシュボタン装入部２０へと挿入されるための穿口である。開口１７ａと、それに続く内部空間であるプッシュボタン装入部２０とで、突棒７が挿入される挿入孔１７がハウジング９に構成される。以上により、ハウジング９には、開口１７ａによって装身具の表側に開口した挿入孔１７が具備される。
また、ストッパーピン１９がカバー部材１２のピン孔１８に挿入してあって、一対のストッパーピン１９は、プッシュボタン装入部２０内に装身具短手方向に離間させて配置してある。
【００３９】
前記プッシュボタン機構１０は、一方及び他方のプッシュボタン２１、２２と、２個の弾性手段であるばね２３とを備えており、一方及び他方のプッシュボタン２１、２２は、図４に示すように端部に押部２４を形成したボタン本体２５を有しており、このボタン本体２５の一側部には切欠き部２６が形成してあり、この切欠き部２６の先側部には円弧形状の係合部２７が形成してあり、切欠き部２６の基部には基側ばね受け部２８Ａが、また、ボタン本体２５の先端部には先側ばね受け部２８Ｂがそれぞれ形成してある。また、切欠き部２６の中間部にはストッパー部２９が形成してある。
【００４０】
そして、前記プッシュボタン装入部２０には、一方の開口部２０Ａから一方のプッシュボタン２１が、他方の開口部２０Ｂから他方のプッシュボタン２２がそれぞれ挿入される。一方のプッシュボタン２１の基側ばね受け部２８Ａと他方のプッシュボタン２２の先側ばね受け部２８Ｂとの間、他方のプッシュボタン２２の基側ばね受け部２８Ａと一方のプッシュボタン２１の先側ばね受け部２８Ｂとの間にそれぞればね２３が介装してあって、一方及び他方のプッシュボタン２１、２２はばね２３の付勢力によりそれぞれ外方に押されてプッシュボタン２１、２２の押し部２４が、プッシュボタン装入部２０の一方及び他方の開口部２０Ａ、２０Ｂより外方に突出しており、一方及び他方のプッシュボタン２１、２２のストッパー部２９がストッパーピン１９に当接している。よって、一方及び他方のプッシュボタン２１、２２が、プッシュボタン装入部２０より抜脱することなく、かつ装身具の短手方向に滑動可能にハウジング９に配される。そして、一方及び他方のプッシュボタン２１、２２の係合部２７は互いに対向していて、これらでフック係合部を構成している。フック係合部を成す一方及び他方のプッシュボタン２１、２２の係合部２７と間にハウジング９の開口１７ａが位置する。
以上により、ハウジング９に設けられた挿入孔１７内部に、フック係合部が位置する。
【００４１】
そして、前記プッシュ中留機構８は、そのハウジング９のベース部材１１の連結部１３で、前記フレーム６と共に、ばね棒３０により装身具本体１の他端側３の先端部に回転可能に取り付けてある。すなわち、装身具本体１の他端側３の先端部にはばね棒挿入部３Ａが形成してあり、このばね棒挿入部３Ａに前記ばね棒３０が挿入してあり、このばね棒３０の両端部のピボット３０Ａが、前記ハウジング９の連結部１３の連結孔１４に挿入してある。また、ピボット３０Ａは連結孔１４を貫通していて、ピボット３０Ａの貫通端部が前記フレーム６の脚部６Ｂ端のピン孔６Ｃに挿入してある。
【００４２】
次に上記のように構成された中留構造を有する装身具において、その中留構造の作動を説明する。
【００４３】
図１に仮想線で示すように装身具本体１の一端側２の先部を、フレーム６の裏側にくぐらせ、装身具本体１の他端側３の表側とフレーム６の裏側との間に挿通する。ここで、フレーム６をプッシュ中留機構８側に向けて回転させ（あるいは装身具本体１の一端側２の先部をフレーム６に向けて移動させ）、このフレーム６の裏側に突設された突棒７を、装身具本体１の一端側２の係合孔５に表側から挿入する。このとき、係合孔５に挿入された突棒７は、装身具本体１の一端側２の裏側に突出する。
【００４４】
突棒７と係合孔５との係合により、装身具本体１の一端側２は、平面方向（横方向）に沿った移動を抑止される。しかしながら、この時点では、装身具本体１の一端側２を裏側に向けて移動すると、突棒７が係合孔５より抜けて、両者の係合が外れてしまう状態にある。
【００４５】
次いで、フレーム６をプッシュ中留機構８の表側に向けて回転させる。そして、前記突棒７をカバー部材１２の挿入孔１７に挿入し、この突棒７のフック部７Ｂを、前記フック係合部、すなわち一方及び他方のプッシュボタン２１、２２の互いに対向する係合部２７に係合して装身具本体１の一端側２と装身具本体１の他端側３とを締結する。この場合、装身具本体１の一端側２は、装身具本体１の他端側３の表側とフレーム６の裏側との間に挟まれて、装身具本体１の一端側２は、表側、あるいは裏側方向への移動を抑止される。このため、装身具本体１の一端側２の係合孔５より突棒７が抜けることはない。
【００４６】
また、前記突棒７のフック係合部への係合は、この突棒７の頭部７Ａで、一方及び他方の前記プッシュボタン２１、２２の係合部２７間を装身具短手方向に互いに離間するように押し開き、突棒７の軸部７Ｃが挿入されると一方及び他方の前記プッシュボタン２１、２２の係合部２７が前記ばね２３の付勢力により閉じて突棒７のフック部７Ｂに係止することで行われる。
【００４７】
さて、前記フレーム６の裏側とプッシュ中留機構８の表側であるカバー部材１２との間の挿入空間Ｈの高さＬは、装身具本体１の一端側２の厚みＭの２倍未満であれば、装身具本体１の一端側２が、挿入空間Ｈ内で僅かに上方に向けて移動しようとも、突棒７は係合孔５に留まり、抜け出ることはない。しかしながら、装身具本体１が例えば革バンドのような柔軟な材質である場合、装身具本体１の一端側２が上下方向に柔軟に撓むことを考えれば、挿入空間Ｈの高さＬは、厚みＭの２倍未満であっても、大きければ大きいほど、突棒７が係合孔５より抜け出る危険性を高める。また、装身具本体１の一端側２の上下方向のガタつきは、甚だしく装身具（腕時計）の外観を損ねる。よって、挿入空間Ｈの高さＬは、装身具本体１の一端側２の厚みＭよりわずかに大きい程度に止めることが好ましい。実施例１では、挿入空間Ｈの高さＬは装身具本体１の一端側２の厚みＭより０．４ｍｍ大きく設定してある。
【００４８】
また、前記装身具本体１の一端側２と装身具本体１の他端側３とを分離する場合には、一方及び他方のプッシュボタン２１、２２の押し部２４を親指と人差し指で挟んで内側に押し込んで一方及び他方のプッシュボタン２１、２２を前記ばね２３に抗して移動させることにより、前記係合部２７間を開いて突棒７との係止を解除し、前記フレーム６を表側に向けて回転させ、係合孔５より突棒７を抜く。そして、装身具本体１の他端側３の表側とフレーム６の裏側との間より装身具本体１の一端側２を抜き出して、装身具本体１の一端側２と装身具本体１の他端側３とを分離する。
【００４９】
上記した実施例１によれば、装身具本体１の一端側２と装身具本体１の他端側３とを確実に締結できるし、また、装身具本体１の一端側２と装身具本体１の他端側３とを容易に分離することもできる。さらに、装身具本体１の一端側２の係合孔５を複数設けておけば、係合孔５を選択して突棒７を挿入することにより、適切な装着長さを得ることができる。例えば、手首に装着する装身具ならば、適切な装着長さを得るべく、手首の太さに最も合った係合孔５を選択し得る。
【００５０】
また、前記突棒係合手段は、前記突棒７の先端に備えられるフック部７Ｂと、装身具本体の他端側３に形成される突棒７が挿入される挿入孔１７と、この挿入孔１７内部に位置するフック係合部とを備えており、突棒７の先端を挿入孔１７内部に挿入して、挿入孔１７内部に位置するフック係合部と係脱させることにより、中留部４の厚みを薄くすることができる。また、挿入孔１７内部に位置される突棒７は、装身具本体１に負荷される外力より保護される。よって、かかる外力に起因する突棒７の折れや曲りを防ぐことができる。
【００５１】
また、前記プッシュボタン２１、２２をスプリング２３の付勢力に抗しつつ外方より押圧すると、プッシュボタン２１、２２の内端部のフック係合部が内方に移動し、プッシュボタン２１、２２の内端部と突棒７の先端が離間することにより、フック係合部とフック部７Ｂとの係合が解除される。そして、挿入孔１７より突棒７を抜くことができる。
【００５２】
したがって、プッシュボタン２１、２２のフック係合部と突棒７のフック部７Ｂとが、容易に係脱を繰り返すことができる。また、プッシュボタン２１、２２を押圧しない限り、プッシュボタン２１、２２のフック係合部と突棒７のフック部７Ｂとの係合は解除されないので、装身具本体１の一端側２と装身具本体１の他端側３が意図せずに分離して、装身具本体１が不用意に脱落することを防ぐことができる。
【００５３】
（実施例２）
本発明の実施例２を図６乃至図８に示す。図６は本発明に係わる装身具の中留構造（実施例２）の斜視図、図７は同中留構造の分解状態の斜視図、図８は同中留構造の作動説明図である。
【００５４】
本発明の実施例２は、装身具本体１の他端部にプレート部材４７を連結して、このプレート部材４７に、上記した実施例１における突棒７と同構成の突棒３１を設け、装身具本体１の他端部にフレーム３２を設けると共に、このフレーム３２にプッシュ中留機構３３を設けた構成である。そして、装身具本体１の他端部に連結されたプレート部材４７は、装身具本体１の他端側３の一部を構成している。また、装身具本体１の一端側２には装身具長手方向に所定の間隔をおいて複数の係合孔５が設けてある。
【００５５】
すなわち、前記プレート部材４７は平面視で四角形状であり、その装身具長手方向の一端部（右端部）の両側には連結部３４が設けてあり、これらの連結部３４に連結孔３５が設けてある。そして、このプレート部材４７の表側の中央部に前記突棒３１が突設してある。
【００５６】
また、前記フレーム３２は、装身具短手方向に沿う先部３２Ａの両端に脚部３２Ｂを連ねた平面視でコ字形状をしており、この先部３２Ａは板状のベースを構成しており、この先部３２Ａには、その中央部の挿入孔３６と一対のピン孔３７とが形成してある。また、脚部３２Ｂの端部にはピン孔３２Ｃが設けてある。
【００５７】
前記プッシュ中留機構３３は、ハウジング３８と、プッシュボタン機構３９とを備えており、ハウジング３８が、前記フレーム３２の先部３２Ａであるベースとカバー部材４０とから構成してあり、このカバー部材４０の裏面には装身具短手方向にボタン挿入凹部４１が形成してあり、また、前記カバー部材４０の裏面の先側（左端部）には嵌合部４２が形成してある。
【００５８】
そして、前記カバー部材４０は、前記フレーム３２の先部３２Ａに重ねられた状態で、この先部３２Ａの面部にねじ部材４３により固着してあって、ハウジング３８を構成している。そして、前記カバー部材４０のボタン挿入凹部４１と先部３２Ａの面部とで、装身具短手方向の両側が開口したプッシュボタン装入部４４が形成してある。このプッシュボタン装入部４４内には、装身具短手方向に離間させて一対のストッパーピン４５が配置してある。これらのストッパーピン４５は前記フレーム３２の先部３２Ａのピン孔３７からプッシュボタン装入部４４内に挿入してある。
【００５９】
前記プッシュボタン機構３９は上記した実施例１のプッシュボタン機構１０と同構成であるために、このプッシュボタン機構１０と同じ符号を付して説明を省略する。
【００６０】
そして、前記プレート部材４７は、その連結部３４で、前記フレーム３２と共に、ばね棒４６により装身具本体１の他端部に回転可能に取り付けてある。すなわち、装身具本体１の他端部に設けたばね棒挿入部３Ａに前記ばね棒４６が挿入してあり、このばね棒４６の両端部のピボット４６Ａが、前記プレート部材４７の連結部３４の連結孔３５に挿入してある。また、ピボット４６Ａは連結孔３５を貫通していて、ピボット４６Ａの貫通端部が前記フレーム３２の脚部３２Ｂ端のピン孔３２Ｃに挿入してある。
【００６１】
次に上記のように構成された中留構造を有する装身具において、その中留構造の作動を説明する。
【００６２】
図６に示すように装身具本体１の一端側２をして、フレーム３２の裏側をくぐらせ、装身具本体１の他端部のプレート部材４７の表側とフレーム３２の裏側との間に挿通する。ここで、プレート部材４７の表側に突設された突棒３１を装身具本体１の一端側２の係合孔５に裏側から挿入する。このとき、係合孔５に挿入された突棒３１は、装身具本体１の一端側２の表側に突出する。
【００６３】
突棒３１と係合孔５との係合により、装身具本体１の一端側２は、平面方向  （横方向）に沿った移動を抑止される。しかしながら、この時点では、装身具本体１の一端側２を表側に向けて移動すると、突棒３１が係合孔５より抜けて、両者の係合が外れてしまう状態にある。
【００６４】
次いで、図８に示すようにフレーム３２をプレート部材４７の表側に向けて回転させる。そして、前記突棒３１を前記フレーム３２の先部３２Ａの挿入孔３６に挿入し、この突棒３１のフック部３１Ｂを、前記フック係合部、すなわち一方及び他方のプッシュボタン２１、２２の互いに対向する係合部２７に係合して前記装身具本体１の一端側２と装身具本体１の他端側３とを締結する。この場合、装身具本体１の一端側２は、前記プレート部材４７の表側とフレーム３２の裏側との間に挟まれて、装身具本体１の一端側２は、表側、あるいは裏側方向への移動を抑止される。このため、装身具本体１の一端側２の係合孔５より突棒３１が抜けることはない。
【００６５】
また、一方及び他方のプッシュボタン２１、２２の押し部２４を親指と人差し指で挟んで内側に押し込んで一方及び他方のプッシュボタン２１、２２をばね２３に抗して移動させることにより、前記係合部２７間を開いて突棒３１との係止を解除し、前記フレーム３２を表側に向けて回転させ、係合孔５より突棒３１のフック部３１Ｂを抜く。そして、プレート部材４７の表側とフレーム３２の裏側との間より装身具本体１の一端側２を抜き出して、装身具本体１の一端側２と装身具本体１の他端側３とを分離する。
【００６６】
上記した実施例２によれば、装身具本体１の一端側２と装身具本体１の他端側３とを確実に締結できるし、また、装身具本体１の一端側２と装身具本体１の他端側３とを容易に分離することもできる。さらに、装身具本体１の一端側２の係合孔５を複数設けておけば、係合孔５を選択して突棒３１を挿入することにより、適切な装着長さを得ることができる。
【００６７】
さらに、上記した実施例１の場合には、フレーム６の裏側に突棒７を突設したので、突棒７がフレーム６の影に隠れて見えにくい。よって、装身具本体１の一端側２の係合孔５に、フレーム６の突棒７を挿入する操作がやや困難となることが危惧されるが、上記した実施例２の場合には、装身具本体１の他端側３となるプレート部材４７の表側に突棒３１を突設したので、突棒３１が見やすい。よって、装身具本体１の一端側２の係合孔５に、前記突棒３１を挿入する操作が容易である。
【００６８】
（実施例３）
本発明の実施例３を図９乃至図１６に示す。図９は本発明に係わる中留構造  （実施例３）を備えた装身具の側面図、図１０は同中留構造の斜視図、図１１は図１０のＹ方向からの一部省略した矢視図、図１２は図１１のＸ−Ｘ線に沿う断面図、図１３はフレームの脚部の内側の斜視図、図１４はプッシュ中留機構のハウジング形成前における一方のバンド部材の先部の斜視図、図１５は一方のバンド部材の先部のハウジングの断面図、図１６の（１）、（２）、（３）はそれぞれ異なるハウジングの側面図である。
【００６９】
本発明の実施例３は、装身具をバングル・タイプの腕時計とし、この腕時計に中留部４を設けたものである。このバングル・タイプの腕時計においては、装身具本体１は、時計本体５０と、この時計本体５０の一方のバンド取付部５０Ａに取り付けられた一方のバンド部材５１と、時計本体５０の他方のバンド取付部５０Ｂに取り付けられた他方のバンド部材５２とから構成してある。一方及び他方のバンド部材５１、５２はＣ型に湾曲した金属帯で構成されている。このようなバンドは、Ｃ型バンドと一般的に呼ばれている。そして、装身具本体１の一端側２となる一方のバンド部材５１の先部には係合孔５３が所定の間隔をおいて形成してあり、装身具本体１の他端側３となる他方のバンド部材５２の先部に前記中留部４が設けてある。
【００７０】
前記中留部４は、装身具本体１の他端側３である他方のバンド部材５２の先端部に回転可能に設けられたフレーム５４と、このフレーム５４の裏側に突設される突棒５５と、この突棒５５と他方のバンド部材５２とを係脱可能に係合する突棒係合手段であるプッシュ中留機構５６とを備えている。
【００７１】
すなわち、前記プッシュ中留機構５６は、他方のバンド部材５２の先部に設けてあり、このプッシュ中留機構５６は、他方のバンド部材５２の先部に形成されたハウジング５７と、このハウジング５７内に設けられるプッシュボタン機構５８とを備えており、ハウジング５７は、図１４に示すように他方のバンド部材５２の先端部に薄板部５９を形成して、この薄板部５９を屈曲し、中空な閉塞断面にして構成してあり、このハウジング５７の内部がバンド短手方向の両側が開口したプッシュボタン装入部６０になっている。そして、このプッシュボタン装入部６０内には、バンド短手方向に離間させて一対のストッパーピン６１が配置してあり、また、ハウジング５７の表側には挿入孔６２が形成してある。
【００７２】
そして、前記プッシュボタン装入部６０に前記プッシュボタン機構５８が収納してある。このプッシュボタン機構５８は上記した実施例１のプッシュボタン機構１０と同構成であるために、このプッシュボタン機構１０と同じ符号を付して説明を省略する。
【００７３】
また、他方のバンド部材５２の先部には、前記ハウジング５７に並べてそのバンド短手方向に沿うピン孔６３が設けてあり、他方のバンド部材５２の先部の一方の側面部にはピン孔６３の端部が開口する切欠き部６４が形成してある。
切欠き部６４は、バンドの表側に向けて開口した凹部であり、該凹部におけるバンド短手方向に向いた側面にピン孔６３が開口している。
【００７４】
前記フレーム５４は、バンド短手方向に沿う先部５４Ａの両端に脚部５４Ｂを連ねた平面視でコ字形状をしており、脚部５４Ｂの内側に端部には凹部６５が形成してあり、この凹部６５にピン孔５４Ｃが設けてある。
凹部６５は、フレーム５４の脚部５４Ｂの相対する内側の面の一方に、該面より一段奥まって形成され、突棒７の突出する方向に向けて外方に開口した段部である。凹部６５におけるバンド短手方向に向いた側面にピン孔５４Ｃが開口している。
そして、フレーム５４の先部５４Ａの中央部に裏側には突棒５５が突設してある。この突棒５５は、上記した実施例１における突棒７と同構成である。
【００７５】
そして、前記ピン孔６３に挿入した連結ピン６７の両端部に、フレーム５４の脚部５４Ｂのピン孔５４Ｃを挿入させて、このフレーム５４が他方のバンド部材５２に取り付けてある。そして、前記連結ピン６７の両端部には、付勢手段であるトーションばね６６が装着してあり、トーションばね６６の内端部６６Ａは切欠き部６４の壁部に引っ掛けると共に、トーションばね６６の外端部６６Ｂを凹部６５の壁部に引っ掛けて、このトーションばね６６の弾発力によって、フレーム５４を、常に開放位置イ側に、すなわち装身具本体の他端側である他方のバンド部材５２の先端部より遠ざかる方向に向けて付勢している。
【００７６】
次に上記のように構成された中留構造を有する装身具（腕時計）の手首に装着及びこの装着の解除を説明する。
【００７７】
腕時計を手首に沿わせて、一方のバンド部材５１をして、フレーム５４の裏側をくぐらせ、他方にバンド部材５１の表側とフレーム５４の裏側との間に挿通する。ここで、フレーム５４をトーションばね６６の弾発力に抗してプッシュ中留機構５８側に向けて回転させ（あるいは一方のバンド部材５１の先部をフレーム５４に向けて移動させ）、このフレーム５４の裏側に突設された突棒５５を、一方のバンド部材５１の係合孔５３に表側から挿入する。このとき、係合孔５３に挿入された突棒５５は、一方のバンド部材５１の裏側に突出する。
【００７８】
突棒５５と係合孔５３との係合により、一方のバンド部材５１は平面方向（横方向）に沿った移動を抑止される。しかしながら、この時点では、一方のバンド部材５１を裏側に向けて移動すると、突棒５５が係合孔５３より抜けて、両者の係合が外れてしまう状態にある。
【００７９】
次いで、フレーム５４をトーションばね６６の弾発力に抗してプッシュ中留機構５８の表側に向けて回転させる。そして、前記突棒５５をハウジング５７の挿入孔６２に挿入し、この突棒５５のフック部５５Ｂを、前記フック係合部、すなわち一方及び他方のプッシュボタン２１、２２の互いに対向する係合部２７に係合して前記腕時計を手首に装着する。この場合、一方のバンド部材５１は、他方のバンド部材５１の表側とフレーム５４の裏側との間に挟まれて、一方のバンド部材５１は、表側、あるいは裏側方向への移動を抑止される。このため、一方のバンド部材５１の係合孔５３より突棒５５が抜けることはない。
【００８０】
また、前記腕時計を手首から外す場合には、一方及び他方のプッシュボタン２１、２２の押し部２４を親指と人差し指で挟んで内側に押し込んで一方及び他方のプッシュボタン２１、２２をばね２３に抗して移動させることにより、前記係合部２７間を開いて突棒５５との係止を解除すると、前記トーションばね６６の弾発力によって、前記フレーム５４が自ら開放位置イに移動し、この開放位置イに位置したフレーム５４は、前記トーションばね６６の弾発力によって、開放位置イを維持し続け、その自重により、前記閉鎖位置ロに向けて移動することがない。
【００８１】
そして、係合孔５３より突棒３３を抜き、他方のバンド部材５２の表側とフレーム５４の裏側との間より一方のバンド部材５１を抜き出して、一方のバンド部材５１と他方のバンド部材５２とを分離する。
【００８２】
なお、前記ハウジング５７は、図１６の（１）に示すように他方のバンド部材５２の先端部に薄板部５９を側面Ｌ字形状に屈曲して構成してもよいし、また、図１６の（２）に示すように薄板部５９を側面コ字形状に屈曲し、先端の屈曲部５９Ａに半球状のダボ５９Ｂを形成し、このダボ５９Ｂを他方のバンド部材５２の端面部５２Ａに形成した半球状の凹部５２Ｂに係合して構成してもよいし、図１６の（３）に示すように薄板部５９を側面コ字形状に屈曲し、先端の屈曲部５９Ａにバンド短手方向に沿う凸部５９Ｃを形成し、この凸部５９Ｃを他方のバンド部材５２の端面部５２Ａに形成した凹部５２Ｃに係合して構成してもよい。
【００８３】
上記した実施例３によれば、一方のバンド部材５１と他方のバンド部材５２とを確実に締結できるし、また、突棒５５と係合孔５３との係合を解除すると、フレーム５４が他方のバンド部材５２の表側に向けて跳ね上がるため、フレーム５４より一方のバンド部材５１を容易に抜き出すことができ、よって、一方のバンド部材５１と他方のバンド部材５２とを容易に分離することができる。さらに、一方のバンド部材５１の係合孔５３を選択して突棒５５を挿入することにより、適切な装着長さを得ることができる。このように、手首の太さに最も合った係合孔５３を選択し得る。
【００８４】
上記した実施例３の構造をバングル・タイプの装身具に適用することにより、従来、バングル・タイプの装身具には、その装身具本体の一端側と装身具本体の他端側とを締結する有効な手段が無かったので、特に利用価値が高いものになる。
なお、前記トーションばね６６は、実施例２におけるフレーム３２にも付設できることは言うまでもない。
【００８５】
（実施例４）
本発明の実施例４を図１７乃至図２０に示す。図１７は本発明に係わる装身具の中留構造（実施例４）の斜視図、図１８は図１７のＺ方向からの一部省略した矢視図、図１９は同中留構造の作動説明図、図２０の（１）、（２）、（３）は同中留構造における突棒のフック部とフック係合部との係合状態のの説明図である。
【００８６】
本発明の実施例４は、上記した実施例３と同様に、装身具としてバングル・タイプの腕時計とし、このバングル・タイプの腕時計においては、装身具本体１は、時計本体の一方のバンド取付部に取り付けられた一方のバンド部材７１と、時計本体の他方のバンド取付部に取り付けられた他方のバンド部材７２とから構成してあり、一方及び他方のバンド部材７１、７２は湾曲した金属帯で構成されている。そして、一方のバンド部材７１の中間部より先側に係合孔７３が所定の間隔をおいて形成してある。
【００８７】
そして、中留部７４は、他方のバンド部材７２の先部に回動可能に取り付けられたフレーム７６と、このフレーム７６の裏側に突設される突棒７７と、この突棒７７と他方のバンド部材７２の係合孔７３とを係脱可能に係合する突棒係合手段である中留機構７５とを備えている。
【００８８】
すなわち、前記フレーム７６は、バンド短手方向に沿う先部７６Ａの両端に脚部７６Ｂを連ねた平面視でコ字形状をしており、脚部７６Ｂの内側に端部には凹部７６Ｄが形成してあり、この凹部７６Ｄにピン孔７６Ｃが設けてある。そして、そして、フレーム７６の先部７６Ａの中央部に裏側には突棒７７が突設してある。この突棒７７は、軸部７７Ａの先部にフック７７Ｂを形成して構成してある。
【００８９】
前記中留機構７５は、他方のバンド部材７２の先部に表裏に貫通した挿入孔７８を備えており、また、図１９に示すように他方のバンド部材７２の先端面部から挿入孔７８の内壁である内周面部にかけて孔部７９が形成してある。この孔部７９に底付きのスリーブ８０が嵌合してあり、このスリーブ８０に弾性手段であるスプリング８１と、スプリング８１によって挿入孔７８内部に向けて付勢されるボール８２Ａとが収容してある。このボール８２Ａはスプリング８１に付勢されていて、ボール８１Ａの一部が挿入孔７８の内周面部よりこの挿入孔７８内に突出していて、フック係合部８２を構成している。しこうして、挿入孔７８の内壁よりスプリング８１によって付勢され、挿入孔７８の内壁より弾性的に出没可能なフック係合部８２が具備される。
【００９０】
また、他方のバンド部材７２の先部には、そのバンド短手方向に沿うピン孔８３が設けてあり、他方のバンド部材７２の先部の側面部にはピン孔８３の端部が開口する切欠き部８４が形成してある。
【００９１】
そして、前記ピン孔８３に挿入した連結ピン８５の両端部に、フレーム７６の脚部７６Ｂのピン孔７６Ｃを挿入させて、このフレーム７６が他方のバンド部材７２に取り付けてある。そして、前記連結ピン８５の端部にはトーションばね８６が装着してあり、トーションばね８６の内端部８６Ａは切欠き部８４の壁部に引っ掛けると共に、トーションばね８６の外端部８６Ｂを凹部７６Ｄの壁部に引っ掛けて、このトーションばね８６の弾発力によって、フレーム７４を、常に開放位置イ側に付勢している。
【００９２】
次に上記のように構成された中留構造を有する装身具（腕時計）の手首に装着及びこの装着の解除を説明する。
【００９３】
腕時計を手首に沿わせて、一方のバンド部材７１をして、フレーム７６の裏側をくぐらせ、他方のバンド部材７２の表側とフレーム７６の裏側との間に挿通する。ここで、フレーム７６をトーションばね８６の弾発力に抗して中留機構７５側に向けて回転させ（あるいは一方のバンド部材７１の先部をフレーム７６に向けて移動させ）、このフレーム７６の裏側に突設された突棒７７を、一方のバンド部材７１の係合孔７３に表側から挿入する。このとき、係合孔７３に挿入された突棒７７は、一方のバンド部材７１の裏側に突出する。
【００９４】
突棒７７と係合孔７３との係合により、一方のバンド部材７１は平面方向（横方向）に沿った移動を抑止される。しかしながら、この時点では、一方のバンド部材７１を裏側に向けて移動すると、突棒７７が係合孔７３より抜けて、両者の係合が外れてしまう状態にある。
【００９５】
次いで、フレーム７６をトーションばね８６の弾発力に抗して中留機構７５の表側に向けて回転させる。そして、前記突棒７７を挿入孔７８に挿入し、図２０の（１）、（２）、（３）に示すように突棒７７のフック７７Ｂでフック係合部８２のボール８２Ａをスプリング８１に抗して押し込み、フック７７Ｂがボール８２Ａを越えた時点でスプリング８１によりボール８２Ａを突出させて、フックをボール８２Ａ（フック係合部８２）に係合して前記腕時計を手首に装着する。
【００９６】
この場合、一方のバンド部材７１は、他方のバンド部材７２の表側とフレーム７６の裏側との間に挟まれて、一方のバンド部材７１は、表側、あるいは裏側方向への移動を抑止される。このため、一方のバンド部材７１の係合孔７３より突棒７７が抜けることはない。
【００９７】
また、前記腕時計を手首から外す場合には、前記フレーム７６を引き上げることにより、フック係合部８２のボール８２Ａから突棒７７のフック７７Ｂを外しすと、前記トーションばね８６の弾発力によって、前記フレーム７６が自ら開放位置イに移動し、この開放位置イに位置したフレーム７６は、前記トーションばね８６の弾発力によって、開放位置イを維持し続け、その自重により、前記閉鎖位置ロに向けて移動することがない。
【００９８】
そして、係合孔７３より突棒７７を抜き、他方のバンド部材７２の表側とフレーム６７の裏側との間より一方のバンド部材７１を抜き出して、一方のバンド部材７１と他方のバンド部材７２とを分離する。
【００９９】
上記した実施例４によれば、一方のバンド部材７１と他方のバンド部材７２とを確実に締結できるし、また、突棒７７と係合孔７３との係合を解除すると、フレーム７６が装身具の表側に向けて跳ね上がるため、フレーム７６より一方のバンド部材７１を容易に抜き出すことができ、よって、一方のバンド部材７１と他方のバンド部材７２とを容易に分離することができる。さらに、一方のバンド部材７１の係合孔７３を複数設けておけば、係合孔７３を選択して突棒７７を挿入することにより、適切な装着長さを得るべく、手首の太さに最も合った係合孔７３を選択し得る。
【０１００】
なお、上記した実施例４では、フレーム７６側に突棒７７を設け、他方のバンド部材７２の先部にを設けたが、これの逆構成、すなわち、フレーム７６側に中留機構の挿入孔７８及びフック係合部を設け、他方のバンド部材７２の先部に突棒７７を設けた構成も実施可能である。
【０１０１】
【発明の効果】
以上説明したように、本発明に係わる装身具の中留によれば、装身具本体の一端側に穿設される係合孔と、前記装身具本体の他端側に回転可能に設けられて前記装身具本体の一端側が挿通するフレームと、前記フレームの裏側に突設されて前記係合孔に係脱可能に挿入係合する突棒と、前記装身具本体の他端側に設けられて前記突棒を係脱可能に係合する突棒係合手段とを備え、前記フレームの裏側と前記装身具本体の他端側の表側との間に前記装身具本体の一端側を挿通して前記突棒を前記係合孔に挿入して係合し、且つ前記装身具本体の一端側の裏側に突出した前記突棒を、前記突棒係合手段によって前記装身具本体の他端側に係合し、前記装身具本体の一端側と前記装身具本体の他端側とを締結したことにより、装身具本体の一端側をして、フレームの裏側をくぐらせ、装身具本体の他端側の表側とフレームの裏側との間に挿通し、フレームを装身具本体の他端側に接近させ、フレームの裏側に突設された突棒を、装身具本体の一端側の係合孔に表側から挿入し、この突棒を装身具本体の一端側の裏側に突出させ、次いで、フレームを装身具本体の他端側の表側に向けて回転させて、前記突棒と装身具本体の他端側とを突棒係合手段によって係合させる。
【０１０２】
よって、装身具本体の他端側の表側とフレームの裏側との間に、装身具本体の一端側が係止され、装身具本体の一端側と装身具本体の他端側とを締結される。また、装身具本体の一端側と装身具本体の他端側とを分離するには、突棒と装身具本体の他端側との係合を解除し、フレームを表側に向けて回転させ、係合孔より突棒を抜く。そして、装身具本体の他端側の表側とフレームの裏側との間より、装身具本体の一端側を抜き出す。
【０１０３】
また、前記突棒を、装身具本体の一端側の係合孔に表側から挿入して突棒と係合孔とを係合することにより、装身具本体の一端側は、平面方向（横方向）に沿った移動を抑止されるが、この時点では、装身具本体の一端側が裏側に向けて移動すると突棒が係合孔より抜けて、両者の係合が外れてしまう状態にある。
【０１０４】
したがって、フレームを装身具本体の他端側の表側に向けて回転させて、装身具本体の一端側の裏側に突出した突棒と、装身具本体の他端側とを突棒係合手段によって係合させることにより、装身具本体の一端側は、装身具本体の他端側の表側とフレームの裏側との間に挟まれて表側あるいは裏側方向への移動を抑止される。このため、前記係合孔より突棒が抜けることがなくなる。
【０１０５】
このように、装身具本体の一端側と装身具本体の他端側とを確実に締結することができ、また、装身具本体の一端側と装身具本体の他端側とを容易に分離することもできる。さらに、装身具本体の一端側の係合孔を複数設けておけば、係合孔を選択して突棒を挿入することにより、適切な装着長さを得ることができる。例えば、手首に装着する装身具ならば、適切な装着長さを得るべく、手首の太さに最も合った係合孔を選択し得る。
【０１０６】
また、本発明に係わる装身具の中留によれば、装身具本体の一端側に穿設される係合孔と、前記装身具本体の他端側に回転可能に設けられて前記装身具本体の一端側が挿通するフレームと、前記装身具本体の他端側に突設されて前記係合孔に係脱可能に挿入係合する突棒と、前記フレームに設けられて前記突棒を係脱可能に係合する突棒係合手段とを備え、前記フレームの裏側と前記装身具本体の他端側の表側との間に前記装身具本体の一端側を挿通して前記突棒を前記係合孔に挿入して係合し、且つ前記装身具本体の一端側の表側に突出した前記突棒を、前記突棒係合手段によって前記フレームと係合し、前記装身具本体の一端側と前記装身具本体の他端側とを締結したことにより、装身具本体の一端側をして、フレームの裏側をくぐらせ、装身具本体の他端側の表側とフレームの裏側との間に挿通し、フレームを装身具本体の他端側に接近させ、前記突棒を前記係合孔に裏側から挿入し、この突棒を装身具本体の一端側の表側に突出させ、次いで、フレームを装身具本体の他端側の表側に向けて回転させて、前記突棒とフレームとを突棒係合手段によって係合させる。
【０１０７】
よって、装身具本体の他端側の表側とフレームの裏側との間に、装身具本体の一端側が係止され、装身具本体の一端側と装身具本体の他端側とを締結される。また、装身具本体の一端側と装身具本体の他端側とを分離するには、突棒とフレームとの係合を解除し、フレームを表側に向けて回転させ、係合孔より突棒を抜く。そして、装身具本体の他端側の表側とフレームの裏側との間より、装身具本体の一端側を抜き出す。
【０１０８】
また、前記突棒を、装身具本体の一端側の係合孔に表側から挿入して突棒と係合孔とを係合することにより、装身具本体の一端側は、平面方向（横方向）に沿った移動を抑止されるが、この時点では、装身具本体の一端側が裏側に向けて移動すると突棒が係合孔より抜けて、両者の係合が外れてしまう状態にある。
【０１０９】
したがって、フレームを装身具本体の他端側の表側に向けて回転させて、前記突棒とフレームとを突棒係合手段によって係合させることにより、装身具本体の一端側は、装身具本体の他端側の表側とフレームの裏側との間に挟まれて表側あるいは裏側方向への移動を抑止される。このため、前記係合孔より突棒が抜けることがなくなる。
【０１１０】
このように、装身具本体の一端側と装身具本体の他端側とを確実に締結することができ、また、装身具本体の一端側と装身具本体の他端側とを容易に分離することもできる。さらに、装身具本体の一端側の係合孔を複数設けておけば、係合孔を選択して突棒を挿入することにより、適切な装着長さを得ることができる。例えば、手首に装着する装身具ならば、適切な装着長さを得るべく、手首の太さに最も合った係合孔を選択し得る。また、装身具本体の他端側に突棒を突設したので突棒が見やすい。よって、装身具本体の一端側の係合孔に突棒を挿入する操作が容易になる。
【０１１１】
また、本発明に係わる装身具の中留によれば、前記突棒係合手段は、前記突棒の先端に備えられるフック部と、前記装身具本体の他端側または前記フレームに形成される前記突棒が挿入される挿入孔と、この挿入孔内部に位置するフック係合部とを備えており、前記突棒の先端を前記挿入孔内部に挿入して、前記フック部と前記フック係合部とを係脱可能に係合させたことにより、上記した発明の効果と同様な効果を奏し得るばかりか、突棒の先端を挿入孔内部に挿入し、挿入孔内部に位置するフック係合部と係脱させることにより、中留の厚みを薄くすることができる。また、挿入孔内部に位置される突棒は、装身具本体に負荷される外力より保護される。よって、かかる外力に起因する突棒の折れや曲りを防ぐことができる。
【０１１２】
また、本発明に係わる装身具の中留によれば、前記突棒係合手段は、弾性手段により装身具本体の外方に付勢され且つ装身具本体の外方から押圧可能なプッシュボタンを備え、前記プッシュボタンにおける挿入孔内部に位置する内端部に前記フック係合部を有し、前記弾性手段の付勢により前記プッシュボタンの内端部と前記突棒の先端とが近接して、前記フック部と前記フック係合部とを係合し、前記弾性手段の付勢に抗しての前記プッシュボタンの外方から押圧により、前記プッシュボタンの内端部と前記突棒の先端が離間して、前記フック部と前記フック係合部との係合を解除することにより、上記した発明の効果と同様な効果を奏し得るばかりか、前記挿入孔に突棒を挿入すると、突棒のフック部と、挿入孔内部に位置するプッシュボタンの内端部のフック係合部とが当接して、突棒のフック部に押圧されて、プッシュボタンは、弾性手段の付勢力に抗しつつ内方に移動する。突棒をさらに進入させて、突棒のフック部がフック係合部を通過すると、プッシュボタンは弾性手段の付勢力により元の位置に復帰し、この弾性手段の付勢力によりプッシュボタンの内端部と突棒の先端が接近してフック係合部とフック部とが係合する。
【０１１３】
また、プッシュボタンを弾性手段の付勢力に抗しつつ外方より押圧すると、プッシュボタンの内端部のフック係合部が内方に移動し、プッシュボタンの内端部と突棒の先端が離間することにより、フック係合部とフック部との係合が解除される。そして、挿入孔より突棒を抜くことができる。
【０１１４】
したがって、突棒係合部に備えられたプッシュボタンのフック係合部と突棒のフック部とが、容易に係脱を繰り返すことができる。また、プッシュボタンを押圧しない限り、プッシュボタンのフック係合部と突棒のフック部との係合は解除されないので、装身具本体の一端側と装身具本体の他端側が意図せずに分離して、装身具本体が不用意に脱落することを防ぐことができる。
【０１１５】
また、本発明に係わる装身具の中留によれば、前記フック係合部が、弾性手段により前記挿入孔に向かって付勢され、前記挿入孔の内壁より弾性的に出没可能であることにより、上記した発明の効果と同様な効果を奏し得るばかりか、突棒係合部の挿入孔に突棒を挿入すると、突棒のフック部と、挿入孔内壁より突出するフック係合部とが当接する。そして、突棒のフック部に押圧されて、突棒のフック部に押圧されて、フック係合部が、弾性手段の付勢力に抗しつつ挿入孔内壁より没入する。突棒をさらに進入させて、突棒のフック部がフック係合部を通過すると、フック係合部は、弾性手段の付勢力により挿入孔に向かって移動し、元の位置に復帰する。すると、フック係合部は、再び挿入孔内壁より突出し、よって、突棒のフック部とフック係合部とが係合する。また、突棒係合部の挿入孔より突棒を抜くには前述と逆の過程を辿る。したがって、突棒係合部のフック係合部と突棒のフック部とが、容易に係脱を繰り返すことができる。
【０１１６】
また、本発明に係わる装身具の中留によれば、前記装身具本体の他端側と前記フレームとの間に、常に前記フレームを前記装身具本体の他端側の表側より遠ざける方向に向けて付勢する付勢手段を設けたことにより、上記した発明の効果と同様な効果を奏し得るばかりか、突棒と突棒係合部との係合を解除すると、フレームが装身具本体の表側より遠ざける方向に向けて跳ね上がるため、フレームより装身具本体の一端側を容易に抜き出すことができ、よって、装身具本体の一端側と装身具本体の他端側とを容易に分離させることができる。
【図面の簡単な説明】
【図１】本発明に係わる装身具の中留構造（実施例１）の斜視図である。
【図２】同中留構造における突棒の側面図である。
【図３】同中留構造の分解状態の斜視図である。
【図４】同中留構造の一部省略及び一部断面した平面図である。
【図５】同中留構造の作動説明図である。
【図６】本発明に係わる装身具の中留構造（実施例２）の斜視図である。
【図７】同中留構造の分解状態の斜視図である。
【図８】同中留構造の作動説明図である。
【図９】本発明に係わる中留構造（実施例３）を備えた装身具の側面図である。
【図１０】同中留構造の斜視図である。
【図１１】図１０のＹ方向からの一部省略した矢視図である。
【図１２】図１１のＸ−Ｘ線に沿う断面図である。
【図１３】フレームの脚部の内側の斜視図である。
【図１４】プッシュ中留機構のハウジング形成前における一方のバンド部材の先部の斜視図である。
【図１５】一方のバンド部材の先部のハウジングの断面図である。
【図１６】（１）、（２）、（３）はそれぞれ異なるハウジングの側面図である。
【図１７】本発明に係わる装身具の中留構造（実施例４）の斜視図である。
【図１８】図１７のＺ方向からの一部省略した矢視図である。
【図１９】同中留構造の作動説明図である。
【図２０】（１）、（２）、（３）は同中留構造における突棒のフック部とフック係合部との係合状態のの説明図である。
【符号の説明】
１  装身具本体
２  装身具本体の一端側
３  装身具本体の他端側
５  係合孔
６  フレーム
７  突棒
８  プッシュ中留機構（突棒係合手段）
【図１】
0003710882.tif 000002
【図２】
0003710882.tif 000003
【図３】
0003710882.tif 000004
【図４】
0003710882.tif 000005
【図５】
0003710882.tif 000006
【図６】
0003710882.tif 000007
【図７】
0003710882.tif 000008
【図８】
0003710882.tif 000009
【図９】
0003710882.tif 000010
【図１０】
0003710882.tif 000011
【図１１】
0003710882.tif 000012
【図１２】
0003710882.tif 000013
【図１３】
0003710882.tif 000014
【図１４】
0003710882.tif 000015
【図１５】
0003710882.tif 000016
【図１６】
0003710882.tif 000017
【図１７】
0003710882.tif 000018
【図１８】
0003710882.tif 000019
【図１９】
0003710882.tif 000020
【図２０】
0003710882.tif 000021